(57)【要約】【課題】低コストで、かつ回路基板の相対的な配置の自由度を高くすることができるフレームシャーシを備えたプラズマディスプレイ装置を提供することを目的とする。【解決手段】プラズマディスプレイパネル２と、前記プラズマディスプレイパネル２の背面側に、回路基板４を背面側に保持した金属製のフレームシャーシ３と、を備え、前記回路基板４は、前記フレームシャーシ３自身を加工することで設けた突起状の保持部３ａによって保持されていることを特徴とするプラズマディスプレイ装置１である。【選択図】図１
2006039074.tif 000002
【特許請求の範囲】
【請求項１】
プラズマディスプレイパネルと、前記プラズマディスプレイパネルの背面側に、回路基板を背面側に保持した金属製のフレームシャーシと、を備え、
前記回路基板は、前記フレームシャーシ自身を加工することで設けた突起状の保持部によって保持されていることを特徴とするプラズマディスプレイ装置。
【請求項２】
前記保持部が、多段絞り加工により形成したものであることを特徴とする請求項１に記載のプラズマディスプレイ装置。
【請求項３】
前記保持部が、切り起こしにより構成したものであることを特徴とする請求項１に記載のプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
近年、プラズマディスプレイ装置は、視認性に優れた表示パネルとして注目されており、高精細化および大画面化が進められている。
【０００３】
ここで、プラズマディスプレイ装置は、プラズマディスプレイパネルと、このプラズマディスプレイパネルの背面側に、回路基板を背面側に保持した金属製のフレームシャーシと、を備えた構成である。そして金属製のフレームシャーシは、表示パネルと回路基板とを保持する機能と共に、それ自身、アース電位することにより回路基板をアース電位に接地するための回路の一部としても機能が求められる。
【０００４】
以上の機能を実現するために、フレームシャーシには、その背面側に、回路基板を保持すると共に電気的導通を確保するために、金属製のボスがかしめられることで固定されており、このボスに回路基板が保持される構造となっている（例えば、特許文献１参照）。
【特許文献１】特開平１０−２４０１３８号公報
【発明の開示】
【発明が解決しようとする課題】
【０００５】
上記のようなフレームシャーシにおいては、回路基板を保持するためのボスの数は数十本にもなり、これにより、部品点数や組み立て工数が増大し、プラズマディスプレイ装置のコスト削減にとって大きな障害となっていた。
【０００６】
本発明は、このような状況に鑑みてなされたものであり、低コストで、かつ回路基板の相対的な配置の自由度を高くすることができるフレームシャーシを備えたプラズマディスプレイ装置を提供することを目的とするものである。
【課題を解決するための手段】
【０００７】
上記目的を達成するために本発明のプラズマディスプレイ装置は、プラズマディスプレイパネルと、前記プラズマディスプレイパネルの背面側に、回路基板を背面側に保持した金属製のフレームシャーシと、を備え、前記回路基板は、前記フレームシャーシ自身を加工することで設けた突起状の保持部によって保持されていることを特徴とするものである。
【発明の効果】
【０００８】
本発明のプラズマディスプレイ装置によれば、低コストで、かつ回路基板の相対的な配置の自由度を高くすることが可能なフレームシャーシを備えたプラズマディスプレイ装置を実現することができる。
【発明を実施するための最良の形態】
【０００９】
すなわち、本発明の請求項１に記載の発明は、プラズマディスプレイパネルと、前記プラズマディスプレイパネルの背面側に、回路基板を背面側に保持した金属製のフレームシャーシと、を備え、前記回路基板は、前記フレームシャーシ自身を加工することで設けた突起状の保持部によって保持されていることを特徴とするプラズマディスプレイ装置である。
【００１０】
また、請求項２に記載の発明は、請求項１に記載の発明において、前記保持部が、多段絞り加工により形成したものであることを特徴とするものである。
【００１１】
また、請求項３に記載の発明は、請求項１に記載の発明において、前記保持部が、切り起こしにより構成したものであることを特徴とするものである。
【００１２】
以下、本発明の一実施の形態によるプラズマディスプレイ装置について、図面を用いて説明するが、本発明の実施の態様はこれに限定されるものではない。
【００１３】
図１は、本発明の一実施の形態によるプラズマディスプレイ装置の概略構成を示す斜視図である。
【００１４】
プラズマディスプレイ装置１は、プラズマディスプレイパネル２、例えばアルミなどの金属板によるフレームシャーシ３、プラズマディスプレイパネル２を駆動するための回路基板４、およびこれらを内部に収納する筐体５とを備えている。
【００１５】
フレームシャーシ３は、プラズマディスプレイパネル２の背面側に設置され、プラズマディスプレイパネル２を保持すると共に、その背面側で回路基板４を保持部３ａで保持する。ここで保持部３ａはフレームシャーシ３自身を突起状に加工することで設けたものである。
【００１６】
筐体５は、前面枠５ａとバックカバー５ｂとから構成され、前面枠５ａの開口部には光学フィルターおよびプラズマディスプレイパネル２の保護を兼ねたガラス等からなる前面カバー５ｃが設置されている。また、この前面カバー５ｃには電磁波の不要輻射を抑制するために、例えば銀蒸着が施されている。さらに、バックカバー５ｂには、プラズマディスプレイパネル２等で発生した熱を外部に放出するための複数の通気孔５ｄが設けられている。
【００１７】
プラズマディスプレイパネル２とその背面側のフレームシャーシ３との間には、プラズマディスプレイパネル２内で発生する熱を拡散しプラズマディスプレイパネル２の温度分布を均一にするとともに放熱を促進するための熱伝導シート６が配設されている。
【００１８】
また、プラズマディスプレイパネル２とフレームシャーシ３とは、例えば周縁部において接合手段７によって接合している。
【００１９】
以上のように、回路基板４を保持する保持部３ａを、フレームシャーシ３自身を突起状に絞り加工することで設けたことにより、従来に比べ非常に簡単な構成で回路基板４を保持する構成を実現することができる。また、保持部３ａは金属製であるフレームシャーシ
３自身を絞り加工して設けたものであることから電気的な導通の確保もできることから、保持する回路基板４の接地を安定に実現することができる。
【００２０】
図２は、本発明の他の実施の形態によるプラズマディスプレイ装置における保持部３ａを斜視図で示すものである。図２に示すように保持部３ａは突起状の形状であり、フレームシャーシ３自身にｎ段（ｎは２以上の整数）の多段絞り加工を施すことにより形成したものである。なお図２には代表例として２段の絞り加工を施した構造を示している。１段目の絞り加工部３ｂと２段目の絞り加工部３ｃとはそれぞれその平坦部に回路基板４を保持するための保持機構として機能する保持手段３ｄを備える。
【００２１】
回路基板４（図１）はこの保持部３ａにより保持されるが、図２に示すように多段の絞り加工とし、格段毎に回路基板４を保持する機構を備えることで、回路基板４を保持する際の形態を自由度の高いものとすることができる。
【００２２】
すなわち、図１に示したような、保持部３ａが一段絞りの場合、図３に断面図で示すような形態で回路基板４が保持部３ａに保持されることとなる（符号３ｅは保持手段）が、保持部３ａが図２に示すような多段絞り形状の場合、保持部３ａが回路基板４を保持する形態としては、図４に断面図で示すように、図３に示す形態に比べ、面方向、高さ方向に保持する回路基板４の集積密度を高めることが可能な、自由度の高いものとすることができる。
【００２３】
図５は、本発明の他の実施の形態によるプラズマディスプレイ装置における保持部３ａを斜視図で示すものであり、保持部３ａはフレームシャーシ３からの切り起こし部３ｂと切り起こし支持部３ｃとにより構成したものである。切り起こし部３ｂおよび切り起こし支持部３ｃを折り曲げて平坦とした部分には、保持機構として機能する保持手段３ｄを備える。また、切り起こし部３ｂと切り起こし支持部３ｃ、およびフレームシャーシ３と切り起こし支持部３ｃとは接合部３ｆで例えばスポット溶接などの手段により接合されている。
【００２４】
回路基板４の支持部３ａとして図５に示すような切り起こし部３ｂにより構成することにより、支持部３ａを絞り加工により形成することに比べ、絞り加工では限界となる高さにまで支持部３ａの保持手段３ｄを形成することができ、より自由度の高い回路基板４の保持形態を実現することが可能となる。
【００２５】
すなわち、図６に、保持形態の一例を断面図で示すように、切り起こし部３ｂと切り起こし支持部３ｃとの曲げ部を異なったものとすることで、回路基板４の保持の高さを変化させることができ、より複雑な支持形態の実現が可能となる。
【産業上の利用可能性】
【００２６】
以上の説明から明らかなように、本発明のプラズマディスプレイ装置によれば、低コストで、かつ回路基板の相対的な配置の自由度を高くすることが可能なフレームシャーシを備えたプラズマディスプレイ装置を提供することができ、有用である。
【図面の簡単な説明】
【００２７】
【図１】本発明の一実施の形態によるプラズマディスプレイ装置の概略構成を示す斜視図
【図２】本発明の他の実施の形態によるプラズマディスプレイ装置における保持部を示す斜視図
【図３】回路基板の保持形態の一例を示す断面図
【図４】回路基板の保持形態の一例を示す断面図
【図５】本発明の他の実施の形態によるプラズマディスプレイ装置における保持部を示す斜視図
【図６】回路基板の保持形態の一例を示す断面図
【符号の説明】
【００２８】
１  プラズマディスプレイ装置
２  プラズマディスプレイパネル
３  フレームシャーシ
３ａ  保持部
４  回路基板
５  筐体
５ａ  前面枠
５ｂ  バックカバー
５ｃ  前面カバー
５ｄ  通気孔
６  熱伝導シート
７  接合手段
【図１】
2006039074.tif 000003
【図２】
2006039074.tif 000004
【図３】
2006039074.tif 000005
【図４】
2006039074.tif 000006
【図５】
2006039074.tif 000007
【図６】
2006039074.tif 000008